(57)【要約】      （修正有）【課題】人が足を取られることなく通過することができる、安全性の高いネズミ返しの装置を提供する。【解決手段】出入口の左右の縦枠に回動自在に軸付けされた２枚の板１，２により構成される。２枚の板は人の膝程度の高さを有し、床面・敷居７との間にはネズミ等の通過を許す隙間を有さず、床を擦らずに回動する。不通行時は出入口中央において２枚の板の一部が重接する形で接続し出入口下部を塞いでいる。２枚の板は入退室いずれの方向にも回動自在であり、どちらの側からも押すだけで通過することができる。また、バネ付の蝶番９によって軸付けされているため、通過後は自動的に回転して閉じる。さらに、２枚の板の重接する部分には板の両面に磁石が付設されており、閉じたとき重接する部分がどちらの面になっても、重接面は磁石を介してぴたりと吸着する。【選択図】図２
0003193173.tif 000002
【実用新案登録請求の範囲】
【請求項１】
出入口を小動物が通過するのを防止するために前記出入口の足元部分に設置するネズミ返しの装置であって、
前記装置は前記出入口の左右２の縦枠に各々軸付けされた２の板から成り、
前記２の板は、
前記小動物の上端辺を超えての通過を妨げるに十分な高さを有し、
下端辺と床面又は敷居との間に前記小動物の通過を許す隙間を有さず、
不通行時は前記出入口中央部において板表面の一部が重接することにより板間が閉じた状態を保持し、
人が跨ぐ際に前記２の板に躓いても前記人の押力により軸回転し前記板間が開くことで前記人の転倒を防ぐことを特徴とするネズミ返しの装置。
【請求項２】
前記２の板は正逆両方向に回転自在であることを特徴とする請求項１記載のネズミ返しの装置。
【請求項３】
前記２の板の軸付け部はバネ付の蝶番を有し、人の通過後は自動で回転して前記２の板の一部が重接する状態に戻ることを特徴とする請求項１又は２記載のネズミ返しの装置。
【請求項４】
前記２の板の重接する部分には板の両面に磁石が付設されており、いずれの面同志が重接する場合においても前記重接部分は前記磁石を介して互いに吸着することを特徴とする請求項１乃至３のいずれかに記載のネズミ返しの装置。
【考案の詳細な説明】
【技術分野】
【０００１】
本考案は、動物飼育室又は実験室に設置されるネズミ返しの装置に関する。
【背景技術】
【０００２】
大学や企業等に於いて動物を飼育したり実験で用いる場合には、その飼育室や実験室には、誤って放してしまったネズミ等小動物（以後、「ネズミ等」という）が、さらに部屋の外に逃げないように、部屋の出入り口にネズミ返しが設置されている。
【０００３】
従来、ネズミ返しは出入口をネズミ等が通過できないようにするために、図１に示すように、大人の膝ほどの高さの金属製、プラスチック製又は木製の板を出入口の床上に立て、作業者はこれを跨いで通過する。
【考案の概要】
【考案が解決しようとする課題】
【０００４】
前述したように、従来の飼育室や実験室等に設置されていたネズミ返しは、出入口を床上一定高さまで塞いでネズミ等の通過を妨ぐことから効果に優れる半面、ネズミ返しの板が出入口の枠に固定されているため、作業者が跨ぐときに足を取られて転倒する事故が多かった。
【０００５】
特に、飼料や作業備品等を抱えたり、急いで部屋を行き来する際には、ネズミ返しに躓いて転倒することで大きな事故につながることが多かった。このため作業環境の早急の改善が必要であった。
【０００６】
上述の問題に鑑み、本考案においては、ネズミ等の通過を確実に防止するともに、人が足を取られて転倒することを防ぐ安全性の高いネズミ返しの装置を提供することを課題とする。
【課題を解決するための手段】
【０００７】
上記課題を解決するために、請求項１のネズミ返しの装置は、出入口の左右の縦枠に回動自在に軸付けされた２枚の板により構成される。前記２枚の板は大人の膝程度の高さを有し、床面・敷居との間にはネズミ等の通過を許す隙間を有さず、軸を中心に床を擦らずに回動する。
【０００８】
前記２枚の板は人の力が加わらないときには、出入口中央において一部が重接する形で接続し出入口下部を塞いでいる。しかし、人が跨いで通過する際にその足がネズミ返しに引っかかれば、その力で出入口の縦枠に軸付けされた左右の端辺を軸に回動して出入口の中央部で開くことで、人が前のめりに転倒することを回避できるようになっている。
【０００９】
請求項２の装置は、前記２枚の板がいずれの方向にも回動自在であることから、人の力が加わった場合、どちらの側からも開くことができる。また、請求項３の装置は、両端辺がバネ付の蝶番によって軸付けされているため、開いた後は自動的に回転して閉じる。
【００１０】
さらに、請求項４の装置では、２枚の板の重接する部分に磁石を設置して板の吸着を容易にしているうえ、前記磁石はそれぞれの板の表裏両面に設置されているため、閉じたとき２枚の板の重接面が表裏どちらの側になっても、重接面は前記磁石を介してぴたりと吸着する。
【考案の効果】
【００１１】
本考案に係るネズミ返しの装置は、ネズミ等の力では開かないが、人の足がふれて力が加わったときには開くため、従来多く発生していた躓きによる転倒事故を防止することができる。
【００１２】
以下の理由により動物飼育室や実験室等における作業環境が大きく改善する。
（１）飼料や備品等で手がふさがっている状態でも、本装置を跨ぐ際に足が触れても力のかかる方向へ開くことで前のめりに転倒することはなく、安全に通過することができるようになる。
（２）回動の軸となる蝶番にバネを使用することにより、開いた板は通過後に自動的に閉じる。
（３）２枚の板の重接面の表裏両側に設置した磁石を介して、閉時にどちらの板が上に来ても隙間なく密着するため、閉状態を確認することなく通過することができる。
【図面の簡単な説明】
【００１３】
【図１】従来のネズミ返しの装置の斜視図である。
【図２】本考案に係るネズミ返しの装置が、一方の側に開いた状態を示す斜視図である。
【図３】本考案に係るネズミ返しの装置が、図２とは反対の側に開いた状態を示す斜視図である。
【図４】本考案に係るネズミ返しの装置の閉じた状態を示す斜視図である。
【考案を実施するための形態】
【００１４】
以下、本考案の実施形態について図を用いて説明する。
【００１５】
図２乃至４に示すように、本考案に係るネズミ返しの装置は、出入口の左右の縦枠６に軸付けされた２枚の板Ａ及びＢより成る。縦枠６の材質により直接軸付けすることが難しい場合には、本図に示すように、補助板８を縦枠６に着設し補助板８に板Ａ及びＢを軸付けする。
【００１６】
板Ａ及びＢは、ネズミ等が上端辺３を超えて通過するのを妨げるに十分な高さを有し、下端辺４と敷居７との間はネズミ等の通過を許す隙間を有さない。
【００１７】
図４に示すように、板Ａ及びＢは人が通過しないときは出入口中央部において一部が重接する状態で接続して閉じている。また、板Ａ及びＢの重接する部分には表裏両面に磁石５が付設されており、いずれの面同志が重接する場合においても重接部分は磁石５を介して吸着する。
【００１８】
作業者が通過する時は、ネズミ返しを跨ぐことになるが、その際、足が板に取られてもその力で板Ａ及びＢが軸付け部９を中心に前方向に回転して板Ａ及びＢの重接部分が開くことで作業者が転倒することはない。
【００１９】
さらに、軸付け部９はバネ付の蝶番９になっているため、開いた後は板Ａ及びＢは自動で回転して閉じ、その際、Ａ，Ｂどちらが上になっても磁石５を介してしっかりと閉じる。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に板Ａ及びＢのサイズ又は材質、軸付けの方法や磁石の形状等については様々な形態の実施が可能であり、それらは本考案の技術的範囲に含まれるものと解する。
【符号の説明】
【００２１】
１    板Ａ
２    板Ｂ
３    上端辺
４    下端辺
５    磁石
６    出入口縦枠
７    敷居
８    補助板
９    軸付け部（バネ付蝶番）
１０  従来のネズミ返し装置
【図１】
0003193173.tif 000003
【図２】
0003193173.tif 000004
【図３】
0003193173.tif 000005
【図４】
0003193173.tif 000006